(57)【要約】【課題】分断後に破断片がゴミとして生じることがなく、かつ、分断操作が容易である包装箱を提供する。【解決手段】複数の側壁が周方向に連設されてなる包装箱１である。包装箱１は、複数の側壁の周方向全体に亘って形成された切り込み線部２を備えている。また、切り込み線部２に隣接した位置に形成された窪み形成部４０を備えている。窪み形成部４０は、隣接する側壁の間に形成される稜線を含んで形成され、窪み形成部４０に対して箱内に向けて押し込み力を付与したときに、箱内に向けて窪む窪み部Ｈが形成されている構成である。【選択図】図１
2018177290.tif 000002
【特許請求の範囲】
【請求項１】
複数の側壁が周方向に連設されてなる包装箱であって、
前記複数の側壁の周方向全体に亘って形成された切り込み線部と、
前記切り込み線部に隣接した位置に形成された窪み形成部と、を備え、
前記窪み形成部は、隣接する前記側壁の間に形成される稜線を含んで形成され、前記窪み形成部に対して箱内に向けて押し込み力を付与したときに、箱内に向けて窪む窪み部が形成されることを特徴とする包装箱。
【請求項２】
前記複数の側壁の周方向端部には、隣接する前記側壁に貼着される接合片が設けられており、
前記窪み形成部は、前記接合片の一部を含んで形成されていることを特徴とする請求項１に記載の包装箱。
【請求項３】
前記接合片が貼着される前記側壁には、前記窪み部の形状に対応する切欠き部が形成されていることを特徴とする請求項２に記載の包装箱。
【請求項４】
前記切り込み線部は、複数の切り込みを含んで形成されており、
前記切り込みは、周方向に延在する直線部と、前記直線部の端部に連続し、前記直線部に対して傾斜する傾斜部と、を備えていることを特徴とする請求項１から請求項３のいずれか１項に記載の包装箱。
【請求項５】
前記傾斜部は、前記直線部に連続する直線状の第一傾斜部と、前記第一傾斜部の端部に連続する直線状の第二傾斜部と、を備えていることを特徴とする請求項４に記載の包装箱。
【請求項６】
前記傾斜部は、前記直線部の両端のそれぞれに連続して形成されており、
前記直線部の一端に連続する前記傾斜部は、箱の一端側に向けて傾斜しており、
前記直線部の他端部に連続する前記傾斜部は、箱の他端側に向けて傾斜していることを特徴とする請求項４または請求項５に記載の包装箱。
【発明の詳細な説明】
【技術分野】
【０００１】
本発明は包装箱に関する。
【背景技術】
【０００２】
従来、ダンボール製の包装箱として、箱の各側壁にミシン目状のジッパーが形成されたものが知られている。このような包装箱は、２本のミシン目状ラインの間の帯状体をラインに沿って引き裂くことによって、上箱と下箱とに分断される。
【０００３】
一方、紙製の包装箱において、開封用のミシン線が設けられたものも知られている（例えば、特許文献１参照）。
この包装箱では、各側面の連設方向に沿ってミシン線が形成されている。ミシン線は、側面ごとに分断されており、各側面の連設方向を略水平としたとき、各側面において右上がりに僅かに傾斜している。各側面のミシン線は、側面同士の間に位置する折罫線を介して連結されている。
【０００４】
この包装箱では、開封時に、組立状態で各ミシン線より上に位置する上部を、各ミシン線より下に位置する下部に対して、ねじの螺合を解除するときと同じ方向に軸回りに回転させる。これにより、各ミシン線の切断線同士の間の切り残された空き部が切断され、側面同士の間に位置する折罫線も引っ張る力が働いて切断される。これにより、包装箱は上部と下部とに分断される。
【先行技術文献】
【特許文献】
【０００５】
【特許文献１】特開２００９−９１０３８号公報
【発明の概要】
【発明が解決しようとする課題】
【０００６】
前記したジッパーを備えた包装箱では、分断後に破断片となる帯状体がゴミとして生じてしまうため、処理に手間がかかり煩雑である。
この点、特許文献１の包装箱では、分断後に破断片となる帯状体がゴミとして生じることがない。しかしながら、側面同士の間に位置する折罫線を介して各側面のミシン線が切断される構成となっている。このため、紙製のシートが分厚い場合や、段ボール製のシートを用いて包装箱を形成した場合には、折罫線部分が破断し難く、分断操作が行い難いという課題があった。
【０００７】
本発明は、前記した課題を解決し、分断後に破断片がゴミとして生じることがなく、かつ、分断操作が容易である包装箱を提供することを課題とする。
【課題を解決するための手段】
【０００８】
前記課題を解決するため、本発明の包装箱は、複数の側壁が周方向に連設されてなる包装箱である。この包装箱は、前記複数の側壁の周方向全体に亘って形成された切り込み線部を備えている。また、包装箱は、前記切り込み線部に隣接した位置に形成された窪み形成部を備えている。前記窪み形成部は、隣接する前記側壁の間に形成される稜線を含んで形成され、前記窪み形成部に対して箱内に向けて押し込み力を付与したときに、箱内に向けて窪む窪み部が形成されるものである。
【０００９】
本発明の包装箱では、窪み形成部に手指で外側から押し込み力を付与すると、稜線を跨いで切り込み線部の一部が破断して窪み部が形成される。そして、切り込み線部を境にして箱の一端側と他端側とを切り込み線部に沿ってねじると、窪み部の形成で破断された切り込み線部をきっかけにして（起点にして）、周方向全体に切り込み線部を簡単に破断することができる。これにより、切り込み線部を境にして箱が一端側と他端側とに分断される。したがって、本発明の包装箱では、分断後に破断片がゴミとして生じることがない。また、分断は、窪み形成部を押圧して窪み部を形成した後に、箱をねじる操作を行うだけでよいので、容易である。
【００１０】
また、本発明に係る他の包装箱では、前記複数の側壁の周方向端部に、隣接する前記側壁に貼着される接合片が設けられている。前記窪み形成部は、前記接合片の一部を含んで形成されている。この構成では、窪み部を形成すると、接合片と側壁とが重なった部分において切り込み線部が破断し、これをきっかけにして残りの切り込み線部を破断することができる。したがって、分断を無理なく行うことができる。
【００１１】
また、前記接合片が貼着される前記側壁には、前記窪み部の形状に対応する切欠き部が形成されていることが好ましい。この構成では、切欠き部を通じて窪み形成部に手指で外側から押し込み力を容易に付与することができ、窪み部を容易に形成することができる。したがって、分断が行い易い。
【００１２】
また、前記切り込み線部は、複数の切り込みを含んで形成されていることが好ましい。前記切り込みは、周方向に延在する直線部と、前記直線部の端部に連続し、前記直線部に対して傾斜する傾斜部と、を備えていることが好ましい。この構成では、箱が外力によりねじられると傾斜部で裂け目が生じ、傾斜部に連続して直線部に裂け目が生じる。つまり、傾斜部で生じた裂け目を直線部に好適に誘導することができ、直線部に外力を集中させて切り込み線部を好適に破断することができる。これにより、切り込み線部がスムーズに破断されるので、分断が容易になる。
【００１３】
また、前記傾斜部は、前記直線部に連続する直線状の第一傾斜部と、前記第一傾斜部の端部に連続する直線状の第二傾斜部と、を備えていることが好ましい。この構成では、箱が外力によりねじられると第二傾斜部で裂け目が生じ、この第二傾斜部に連続して第一傾斜部で裂け目が生じる。そして、第一傾斜部の裂け目に連続して直線部に裂け目が生じる。つまり、第二傾斜部および第一傾斜部で生じた裂け目を直線部に好適に誘導することができ、直線部に外力を集中させて切り込み線部を好適に破断することができる。これにより、切り込み線部がスムーズに破断されるので、分断がより一層容易になる。
【００１４】
また、前記傾斜部は、前記直線部の両端のそれぞれに連続して形成されていることが好ましい。前記直線部の一端に形成される前記傾斜部は、箱の一端側に向けて傾斜していることが好ましい。また、前記直線部の他端に形成される前記傾斜部は、箱の他端側に向けて傾斜していることが好ましい。この構成では、箱を何れの方向へねじった場合にも、ねじる方向の成分を含む外力を傾斜部を介して直線部に好適に集中させることができる。これにより、直線部がスムーズに破断されるので、分断がより一層容易になる。
【発明の効果】
【００１５】
本発明では、分断後に破断片がゴミとして生じることがなく、かつ、分断操作が容易である包装箱が得られる。
【図面の簡単な説明】
【００１６】
【図１】（ａ）は本発明の一実施形態に係る包装箱を示す斜視図、（ｂ）は窪み形成部を示す拡大斜視図である。
【図２】本発明の一実施形態に係る包装箱のブランクシートである。
【図３】切り込み線部の拡大説明図である。
【図４】（ａ）は窪み形成部に手指を置いた状態を示す斜視図、（ｂ）は窪み形成部を手指で押し込み、窪み部を形成した状態を示す斜視図である。
【図５】（ａ）から（ｃ）は切り込み線部を境にして箱の一端側と他端側とを相互に異なる方向に回動させる際の操作を示す斜視図である。
【図６】箱が上下に分断した状態を示す斜視図である。
【発明を実施するための形態】
【００１７】
本発明の実施形態について、適宜図面を参照しながら詳細に説明する。
以下の説明において、前後左右上下の方向は、包装箱を説明する上で便宜上設定したものであり、包装箱の構成を限定するものではない。
【００１８】
図１（ａ）に示すように、包装箱１は、上下方向に長い直方体の箱である。包装箱１は、前後左右の４つの側壁１１〜１４を有する胴部１０と、胴部１０の下側開口部を閉塞している底板２０と、胴部１０の上側開口部を閉塞している頂板３０と、を備えている。
胴部１０には、周方向全体に亘って切り込み線部２が形成されている（図２参照）。また、胴部１０の前側右角部には、外側からの押し込み力により箱内に向けて窪み部を形成するための窪み形成部４０が設けられている。
【００１９】
包装箱１は、図２に示すように、一枚の段ボール製のシートを切り抜いたブランクシートＳを各罫線において山折りすることで形成される。図２に示すブランクシートＳは外面側が見えるように配置されている。
【００２０】
ブランクシートＳの側壁１１〜１４、底板２０（図１参照）および頂板３０（図１参照）を仕切る各罫線（折線）は、ブランクシートＳの表面を押し込んで形成された線状の溝である。
なお、罫線には切れ込みを形成してもよい。このようにすると、罫線においてブランクシートＳを折り曲げ易くなる。
【００２１】
各側壁１１〜１４は、図１（ａ）に示すように、左右方向よりも上下方向が大きい長方形に形成されている。
前側壁１１の右端部には、図２に示すように、罫線Ｌ４を介して接合片１５が連設されている。接合片１５は、前側壁１１の右縁部に沿って帯状に形成されている。接合片１５は、右側壁１４の内面に接着剤によって接合される部位である。
【００２２】
前側壁１１と接合片１５との連設部分には、稜線（罫線Ｌ４）を跨いで窪み形成部４０が設けられている。窪み形成部４０は、稜線（罫線Ｌ４）を含んで窪み部Ｈ（図４（ｂ）参照）を形成させるものである。
【００２３】
窪み部Ｈは、図４（ｂ）に示すように、外側からの押し込み力により箱内に向けて押し込まれることで形成される略四角錐状の窪みである。窪み部Ｈは、稜線（罫線Ｌ４）上の任意の点Ａ１から切り込み線部２に向かう罫線４１，４２を側縁部として形成される窪みである。罫線４１は、図１（ｂ）に示すように、前側壁１１の右縁部に形成されている。また、罫線４２は、接合片１５の前縁部に形成されている。罫線４１，４２は、図２に示すように、稜線（罫線Ｌ４）上の任意の点Ａ１から切り込み線部２に向かうに従って稜線からの距離が漸次大きくなるように設定されている。これにより、窪み部Ｈは、略四角錐状に形成される（図４（ｂ）参照）。
【００２４】
窪み部Ｈを形成する上端縁部（略四角錐状の底部）は、図１（ｂ），２に示すように稜線（罫線Ｌ４）を跨ぐ切り込み線部２ａ上に位置している。つまり、窪み部Ｈは、稜線（罫線Ｌ４）を跨ぐ切り込み線部２の一部（切り込み線部２ａ，２ａ）を破断して形成されるものである。ここで、図２に示すように、切り込み線部２ａは、直線状を呈している。
なお、窪み形成部４０において、稜線（罫線Ｌ４）および罫線４１，４２は、切れ込みを備えて形成されている（図１（ｂ）、図２参照）。このようにすると、窪み形成部４０を、手指で押し込み易くなる。
【００２５】
前側壁１１の左縁部には、図１（ａ）に示すように、罫線Ｌ１を介して左側壁１２が連設されている。左側壁１２は、前側壁１１に対して直角に形成されている。左側壁１２の後縁部には、罫線Ｌ２（図２参照）を介して後側壁１３が連設されている。後側壁１３は、左側壁１２に対して直角に形成されている。
【００２６】
後側壁１３の右縁部には、罫線Ｌ３（図２参照）を介して、右側壁１４が連設されている。右側壁１４は、後側壁１３に対して直角に形成されている。
右側壁１４の前縁部には、三角形状の切り欠き部１６が形成されている。切り欠き部１６は、図１（ｂ）に示すように、窪み形成部４０により形成される窪み部Ｈ（図４（ｂ）参照）の形状に対応して形成されている。切り欠き部１６は、接合片１５に形成された罫線４２に沿う斜辺１６ａと、接合片１５の切り込み線部２ａに沿う横辺１６ｂとを備えている（図２参照）。このような切り欠き部１６を備えることによって、接合片１５側に形成された前記罫線４２および前記切り込み線部２ａが右側壁１４の前縁部に露出するようになっている。
【００２７】
胴部１０は、ブランクシートＳ（図２参照）を罫線Ｌ１〜Ｌ４で折り曲げつつ、接合片１５を右側壁１４の内面に接合することで、各側壁１１〜１４によって角筒状に形成される（図１参照）。
【００２８】
胴部１０に形成される切り込み線部２は、図１（ａ）に示すように、包装箱１の水平方向に延在して周方向全体に亘って形成されている（図２参照）。切り込み線部２は、図３に示すように、複数の切り込みを含んで構成されている。切り込みは、周方向に延在する直線部３と、直線部３の両端部に連続し、直線部３に対して傾斜する傾斜部４，４と、を備えている。隣接する直線部３，３の間には、所定の大きさの空き部Ｓ１が形成されている。
【００２９】
直線部３の右端部３ｂに連続する傾斜部４は、包装箱１の上部側となる一端側に向けて傾斜している。これとは逆に、直線部３の左端部３ａに連続する傾斜部４は、包装箱１の下部側となる一端側に向けて傾斜している。つまり、傾斜部４は直線部３の左右で傾斜する方向が異なっている。
ここで、包装箱１の上部側に向けて傾斜する傾斜部４は、切り込み線部２を境にして箱の上部側または下部側が外力により図３中白抜き矢印Ｘ１方向にねじられた際に、裂け目を形成するようになっている。一方、包装箱１の下部側に向けて傾斜する傾斜部４は、切り込み線部２を境にして箱の上部側または下部側が外力により図３中白抜き矢印Ｘ２方向にねじられた際に、裂け目を形成するようになっている。
【００３０】
傾斜部４は、直線部３に連続する直線状の第一傾斜部４ａと、第一傾斜部４ａの端部に連続する第二傾斜部４ｂとを備えている。第一傾斜部４ａおよび第二傾斜部４ｂは、直線部３に対して傾斜している。第二傾斜部４ｂの直線部３に対する傾斜角度は、直線部３に対する第一傾斜部４ａの傾斜角度よりも大きくなっている。
前記のように箱が外力によりねじられると、第二傾斜部４ｂに裂け目が生じ、続いて、この裂け目に連続して第一傾斜部４ａに裂け目が生じるように構成されている。そして、第一傾斜部４ａに裂け目が生じると、これに連続して直線部３で裂け目が生じるように構成されている。
【００３１】
なお、直線部３は、図３に示すように、罫線Ｌ１〜Ｌ３（図３では罫線Ｌ２のみ図示）を跨ぐ状態に位置している。これにより、罫線Ｌ１〜Ｌ３を跨ぐ部分が破断し易くなっている。
【００３２】
底板２０は、図２に示すように、前後の底内フラップ２１，２１と、左右の底外フラップ２２，２２と、によって構成されている。前後の底内フラップ２１，２１は、前側壁１１、後側壁１３の下縁部に罫線Ｌ５，Ｌ６を介して連設されている。左右の底外フラップ２２，２２は、左側壁１２、右側壁１４の下縁部に罫線Ｌ７，Ｌ８を介して連設されている。
図１（ａ）に示すように、前後の底内フラップ２１，２１の下側に、左右の底外フラップ２２，２２を重ねて配置することで、底板２０が形成されている。底内フラップ２１，２１と底外フラップ２２，２２とは、接着剤等によって接合される。
【００３３】
胴部１０の上側開口部は、図１（ａ）に示すように、頂板３０で閉塞されている。頂板３０は、図２に示すように、前後の内フラップ３１，３１と、左右の外フラップ３２，３２とによって構成されている。前後の内フラップ３１，３１は、前側壁１１、後側壁１３の上縁部に罫線Ｌ９，Ｌ１０を介して連設されている。左右の外フラップ３２，３２は、左側壁１２、右側壁１４の上縁部に罫線Ｌ１１，Ｌ１２を介して連設されている。
前後の内フラップ３１，３１の上側に、左右の外フラップ３２，３２を重ねて配置することで、頂板３０が形成されている。内フラップ３１，３１と外フラップ３２，３２とは、接着剤等によって接合される。
【００３４】
以上のような包装箱１を開封する場合には、図４（ａ）に示すように、窪み形成部４０に例えば親指を置き、窪み形成部４０を箱内に向けて押し込む。そうすると、稜線（罫線Ｌ４）が箱内に押し込まれる状態となり、切り込み線部２ａ，２ａに裂け目が生じる。そして、罫線４１，４２を側縁部として略四角錐形状の窪み部Ｈが形成される（図４（ｂ）参照）。
【００３５】
その後、図５（ａ）に示すように、切り込み線部２を挟んで箱の上部側と下部側とを両手で掴み、図５（ｂ）に示すように、上部側と下部側とを相互に異なる軸回り方向（図中矢印方向となる周方向）にねじる。そうすると、窪み部Ｈの形成で破断された切り込み線部２ａ，２ａをきっかけにして（起点にして）、残りの切り込み線部２を破断することができる。この場合、切り込み線部２の傾斜部４における第二傾斜部４ｂに裂け目が生じ、この第二傾斜部４ｂに連続して第一傾斜部４ａに裂け目が生じる。そして、第一傾斜部４ａの裂け目に連続して直線部３で裂け目が生じる。
【００３６】
つまり、第二傾斜部４ｂで生じた裂け目が第一傾斜部４ａを介して中央に戻り直線部３に集中する。これにより、切らせたい部分である直線部３を中心として切り込み線部２が破断され易くなり、図６に示すように、包装箱１が上下に分断可能となる。包装箱１に収容された収容物（不図示）は、包装箱１が分断されることにより開封口から取り出し可能である。
【００３７】
以上のような包装箱１では、窪み部Ｈの形成で破断された切り込み線部２ａ，２ａをきっかけにして（起点にして）、周方向全体に切り込み線部２を簡単に破断することができる。これにより、切り込み線部２を境にして箱が上部側と下部側とに分断される。したがって、本実施形態の包装箱１では、分断後に破断片がゴミとして生じることがない。また、分断は、窪み形成部４０を押圧して窪み部Ｈを形成した後に、箱をねじる操作を行うだけでよいので、容易である。
【００３８】
また、窪み形成部４０は、接合片１５の一部を含んで形成されている。したがって、窪み部Ｈを形成すると、接合片１５と右側壁１４とが重なった部分において切り込み線部２ａが破断し、これをきっかけにして残りの切り込み線部２を破断することができる。したがって、分断を無理なく行うことができる。
【００３９】
また、窪み部Ｈの形状に対応する切欠き部１６が形成されているので、切欠き部１６を通じて窪み形成部４０に手指で外側から押し込み力を容易に付与することができる。したがって、窪み部Ｈを容易に形成することができる。したがって、分断が行い易い。
【００４０】
また、切り込み線部２の傾斜部４が第一傾斜部４ａと第二傾斜部４ｂとを備えているので、第二傾斜部４ｂおよび第一傾斜部４ａで生じた裂け目を直線部３に好適に誘導することができる。したがって、直線部３に外力を集中させて切り込み線部２を好適に破断することができる。これにより、切り込み線部２がスムーズに破断されるので、分断がより一層容易になる。
【００４１】
また、傾斜部４は、直線部３の両端部において、相互に異なる上下方向に向けて傾斜している。これにより、箱を何れの方向へねじった場合にも、ねじる方向の成分を含む外力を傾斜部４を介して直線部３に好適に集中させることができる。したがって、箱をねじる方向に規制がなく、分断操作が容易である。
【００４２】
以上、本発明の実施形態について説明したが、本発明は前記実施形態に限定されることなく、その趣旨を逸脱しない範囲で適宜に変更が可能である。
前記実施形態では、傾斜部４が第一傾斜部４ａと第二傾斜部４ｂとからなる構成としたが、これに限られることはなく、第一傾斜部４ａだけでもよい。また、傾斜部４は、第一傾斜部４ａおよび第二傾斜部４ｂに加えて第二傾斜部４ｂに連続する第三傾斜部を備えていてもよい。この第三傾斜部の傾斜は適宜設定することができる。
【００４３】
また、傾斜部４は、直線部３の両端部に設けたが、これに限られることはなく、いずれか一方に設けてもよい。例えば、直線部３の右端部３ｂから箱の上部側に向けて傾斜部４を設けた場合には、箱の上部側を下部側に対して図３中白抜き矢印Ｘ１方向にねじることで分断する包装箱１とすることができる。また、例えば、直線部３の左端部３ａから箱の下部側に向けて傾斜部４を設けた場合には、箱の下部側を上部側に対して図３中白抜き矢印Ｘ２方向にねじることで分断する包装箱１とすることができる。つまり、直線部３の一方に傾斜部４を設けることで、ねじる方向を特定した包装箱１とすることができる。
【００４４】
また、窪み形成部４０は、胴部１０の周方向の一箇所に設けたが、これに限られることはなく、複数箇所（例えば対角位置）に設けてもよい。
【００４５】
また、包装箱１は、直方体のものを示したが、これに限られることはなく、ねじり操作で分断できる箱であれば、種々の形態のものを採用することができる。
【００４６】
また、窪み形成部４０は、略三角形状の窪み部Ｈが形成されるものを示したが、四角形状、円形状、楕円形状、多角形状等、種々の形状の窪み部が形成されるものであってもよい。
【００４７】
本実施形態の包装箱１は段ボール製であるが、各種公知の板紙によって包装箱を形成してもよい。
【符号の説明】
【００４８】
１      包装箱
２      切り込み線部
２ａ    切り込み線部
３      直線部
４      傾斜部
４ａ    第一傾斜部
４ｂ    第二傾斜部
１１    前側壁（側壁）
１２    左側壁（側壁）
１３    後側壁（側壁）
１４    右側壁（側壁）
１５    接合片
１６    切り欠き部
４０    窪み形成部
Ｈ      窪み部
【図１】
2018177290.tif 000003
【図２】
2018177290.tif 000004
【図３】
2018177290.tif 000005
【図４】
2018177290.tif 000006
【図５】
2018177290.tif 000007
【図６】
2018177290.tif 000008